(57)【要約】【課題】市販のデジタルカメラや工事写真管理ソフトが組み込まれたコンピュータを用いて簡易に構成でき、多数の工事写真の仕分けや整理を容易に行うことのできる工事写真管理システムを提供する。【解決手段】工事写真管理ソフトが組み込まれたコンピュータ１１とデジタルカメラ１２とからなる写真管理システム１０であって、工事写真管理ソフトが組み込まれたコンピュータ１１は、撮影すべき写真の撮影項目情報を記憶する撮影項目記憶部１４と、撮影項目を選択してデジタルカメラ１２に写真属性データを転送する選択情報転送部１５と、転送された写真属性データに基づいて撮影した写真データを、デジタルカメラ１２から情報転送手段１７を介して取り込んで記憶する写真データ記憶部１６とを含む工事写真撮影箇所管理部１３を備える。取り込んだ写真データは、写真属性データに基づいて、撮影項目記憶部１４の項目毎に自動振り分けされて格納される。【選択図】図１
2010231608.tif 000002
【特許請求の範囲】
【請求項１】
工事現場で撮影される工事写真を管理するための、工事写真管理ソフトが組み込まれたコンピュータと、写真属性データを添付する機能を備えるデジタルカメラとからなる工事写真管理システムであって、
前記工事写真管理ソフトが組み込まれたコンピュータは、工事写真撮影箇所管理部を備えており、該工事写真撮影箇所管理部は、撮影すべき写真の工種、種別、撮影場所等の撮影項目情報を記憶する撮影項目記憶部と、該撮影項目記憶部に記憶された撮影項目情報から工事の進捗に合わせて選択された撮影すべき撮影項目を、前記デジタルカメラに情報転送手段を介して写真属性データとして転送する選択情報転送部と、転送された写真属性データに基づいて前記デジタルカメラを用いて撮影された写真データを、前記デジタルカメラから前記情報転送手段を介して取り込んで記憶する写真データ記憶部とを含んでおり、
前記デジタルカメラは、前記情報転送手段を介して前記選択情報転送部から送られる写真属性データを表示させる機能を有すると共に、前記工事写真撮影箇所管理部は、表示された写真属性データと共に撮影した写真データを前記デジタルカメラから前記情報転送手段を介して取り込んで前記写真データ記憶部に記憶させる機能を備えており、
前記写真データ記憶部では、前記撮影項目記憶部から撮影項目情報が送られており、前記デジタルカメラから取り込んだ写真データを、前記写真属性データに基づいて、前記撮影項目記憶部の項目毎に自動振り分けして格納するようになっている工事写真管理システム。
【発明の詳細な説明】
【技術分野】
【０００１】
本発明は、工事現場で撮影される工事写真を管理するための、工事写真管理ソフト（商品名「Esteem-ABC Plus」大中物産株式会社製、以下「工事写真管理ソフト」という）が組み込まれたコンピュータと、写真属性データを添付する機能を備えるデジタルカメラとからなる工事写真管理システムに関する。
【背景技術】
【０００２】
建築工事や土木工事等の工事現場では、構築物の施工状況や出来形等について、多数の工事写真が撮影され、撮影された工事写真によって工事の内容が施主や関係会社等に報告されるようになっている。これらの工事写真は、例えば工種、種別、撮影場所、撮影頻度等に応じて撮影すべき項目の一覧表を予め作成しておき、工事の進捗に合わせて、作成された一覧表から選択した撮影項目にしたがって撮影されることになる。
【０００３】
一方、工事現場で撮影される工事写真の数は膨大であり、また工種や種別等も多岐に亘ることから、撮影した写真を電子ファイルとしてコンピュータに組み込まれた管理ソフトに取り込んで効率良く整理できるようにするための工事写真管理用のソフトウェアが、例えば国土交通省への電子納品用の管理ソフトとして提供されているが、このような管理ソフトを用いたとしても、工事写真は類似する写真が多いためフォルダの作製や写真の仕分けが容易ではなく、また管理データの入力等に多くの手間を要することになる。
【０００４】
これに対して、撮影対象の各工事の撮影図面や、各工事の工事名称、工事設計値等を含んだ工事写真チェックリスト（工事撮影箇所／工事写真チェックリスト）を、カメラ機能を有する携帯端末に送信し、これらの撮影図面や工事名称等の撮影データと共に工事写真を撮影して、撮影データで指定された項目の写真データを得ることにより、管理ソフトに取り込んだ後の写真データの整理を容易に行えるようにする工事写真管理システムも開発されている（例えば、特許文献１参照）。
【先行技術文献】
【特許文献】
【０００５】
【特許文献１】特開２００６−１４６６８２号公報
【発明の概要】
【発明が解決しようとする課題】
【０００６】
しかしながら、特許文献１に記載の工事写真管理システムでは、カメラ機能を有する携帯端末は、撮影対象の各工事の撮影図面を記憶する撮影図面記憶手段、工事写真チェックリストを記憶する工事写真チェックリスト記憶手段、撮影した工事の写真番号と実測値とを工事写真チェックリストに書込む工事写真チェックリスト更新手段等の特別の機能を備える必要があり、工事現場で多用されている市販のデジタルカメラを用いて簡易に構成できるものではない。
【０００７】
本発明は、市販のデジタルカメラやコンピュータを用いて簡易に構成できると共に、工事現場で撮影される多数の工事写真の仕分けや整理を容易に行うことのできる工事写真管理システムを提供することを目的とする。
【課題を解決するための手段】
【０００８】
本発明は、工事現場で撮影される工事写真を管理するための、工事写真管理ソフトが組み込まれたコンピュータと、写真属性データを添付する機能を備えるデジタルカメラとからなる工事写真管理システムであって、前記工事写真管理ソフトが組み込まれたコンピュータは、工事写真撮影箇所管理部を備えており、該工事写真撮影箇所管理部は、撮影すべき写真の工種、種別、撮影場所等の撮影項目情報を記憶する撮影項目記憶部と、該撮影項目記憶部に記憶された撮影項目情報から工事の進捗に合わせて選択された撮影すべき撮影項目を、前記デジタルカメラに情報転送手段を介して写真属性データとして転送する選択情報転送部と、転送された写真属性データに基づいて前記デジタルカメラを用いて撮影された写真データを、前記デジタルカメラから前記情報転送手段を介して取り込んで記憶する写真データ記憶部とを含んでおり、前記デジタルカメラは、前記情報転送手段を介して前記選択情報転送部から送られる写真属性データを表示させる機能を有すると共に、前記工事写真撮影箇所管理部は、表示された写真属性データと共に撮影した写真データを前記デジタルカメラから前記情報転送手段を介して取り込んで前記写真データ記憶部に記憶させる機能を備えており、前記写真データ記憶部では、前記撮影項目記憶部から撮影項目情報が送られており、前記デジタルカメラから取り込んだ写真データを、前記写真属性データに基づいて、前記撮影項目記憶部の項目毎に自動振り分けして格納するようになっている工事写真管理システムを提供することにより、上記目的を達成したものである。
【発明の効果】
【０００９】
本発明の工事写真管理システムによれば、市販のデジタルカメラやコンピュータを用いて簡易に構成できると共に、工事現場で撮影される多数の工事写真の仕分けや整理を容易に行うことができる。
【図面の簡単な説明】
【００１０】
【図１】本発明の好ましい一実施形態に係る工事写真管理システムの構成を説明する説明図である。
【図２】本発明の好ましい一実施形態に係る工事写真管理システムを構成するデジタルカメラの、（ａ）は背面図、（ｂ）は写真属性データを表示させた状態の画面部の拡大図である。
【図３】撮影項目記憶部に記憶された撮影項目情報を表示させた状態の説明図である。
【図４】選択情報転送部により撮影項目を選択して作成された写真属性データを表示させた状態の説明図である。
【図５】工事写真撮影箇所管理部により写真属性データが記録された写真データを取り込んで、写真データ記憶部に格納する状態の説明図である。
【図６】写真データ記憶部に記憶された写真データを、アルバム帳票形式で表示させた状態の説明図である。
【図７】写真データを国土交通省への電子納品用の管理ソフトに取り込んで、階層ファルダによって管理する状態の説明図である。
【発明を実施するための形態】
【００１１】
図１に示す本発明の好ましい一実施形態に係る工事写真管理システム１０は、工事現場として、例えばシールドトンネルを地中に構築するためのシールド工事において、撮影すべき膨大な数の工事写真を、撮り忘れなく効率良く撮影できるようにすると共に、撮影された多数の工事写真を、簡易な構成により工事写真管理ソフトが組み込まれたコンピュータ１１を用いて容易に管理できるようにするために採用されたものである。すなわち、シールド工事は、工種や種別が、例えばセグメント組立、セグメント搬送、シールド掘進、汚泥搬出、残土搬出、排泥処分等、多岐に亘っており、また撮影場所や撮影頻度も多く、撮影される工事写真も類似する写真が多いことから、これらの多数の工事写真を、予め形成された撮影項目情報に基づいて、漏れなく撮影できるようにすると共に、撮影された多数の工事写真の仕分けや整理を効率良く行えるようにするために、本実施形態の工事写真管理システム１０が用いられる。
【００１２】
そして、本実施形態の工事写真管理システム１０は、工事現場で撮影される工事写真を管理するための、工事写真管理ソフトが組み込まれたコンピュータ１１と、写真属性データを添付する機能を備えるデジタルカメラ１２とからなる写真管理システムであって、図１に示すように、工事写真管理ソフトが組み込まれたコンピュータ１１は、工事写真撮影箇所管理部１３を備えており、この工事写真撮影箇所管理部１３は、撮影すべき写真の工種、種別、撮影場所等の撮影項目情報を記憶する撮影項目記憶部１４と、撮影項目記憶部１４に記憶された撮影項目情報から工事の進捗に合わせて選択された撮影すべき撮影項目を、デジタルカメラ１２に情報転送手段１７を介して写真属性データとして転送する選択情報転送部１５と、転送された写真属性データに基づいてデジタルカメラ１２を用いて撮影された写真データを、デジタルカメラ１２から情報転送手段１７を介して取り込んで記憶する写真データ記憶部１６とを含んでいる。
【００１３】
また、デジタルカメラ１２は、情報転送手段１７を介して選択情報転送部１５から写真属性データとして送られるデータを表示させる機能を有すると共に、工事写真撮影箇所管理部１３は、表示された写真属性データと共に撮影した写真データをデジタルカメラ１２から情報転送手段１７を介して取り込んで写真データ記憶部１６に記憶させる機能を備えており、写真データ記憶部１６では、撮影項目記憶部１４から撮影項目情報が送られており、デジタルカメラ１２から取り込んだ写真データを、写真属性データに基づいて、撮影項目記憶部１４の項目毎に自動振り分けして格納するようになっている。
【００１４】
本実施形態では、工事写真管理システム１０を構成する工事写真管理ソフトが組み込まれたコンピュータ１１は、データベースサーバとして機能する公知のものであり、例えばパーソナルコンピュータ等を使用することができる。コンピュータ１１としてのデータベースサーバは、ＣＰＵ、ＲＯＭ、ＲＡＭ、Ｉ／Ｆ、記憶手段、入力手段、表示手段、出力手段等を備えている。データベースサーバのＣＰＵは、ＲＯＭに組み込まれた制御プログラムに従って、ＲＡＭをワークエリアとして使用しながら、データベースサーバの全体の動作を制御する。また、ＣＰＵは、各種のコンピュータプログラムがＲＯＭに組み込まれていることにより、記憶手段、入力手段、表示手段、出力手段等を機能させると共に、工事写真の撮影項目情報や写真データを含む情報をデータベース部に記憶させ、所定の情報をディスプレイ１８に表示させたり、プリンタから出力させたりすることができるようになっている。
【００１５】
写真属性データを添付する機能を備えるデジタルカメラ１２は、市販されている公知の各種の写真属性データを添付する機能を備えるデジタルカメラを用いることができ、好ましくは工事現場で使用するのに適した、防水性や防塵性に優れるデジタルカメラを使用することができる。デジタルカメラ１２は、図２（ａ），（ｂ）に示すように、撮影画像を表示する画面部１２ａや、後述する写真属性データを画面部１２ａに表示させたり切り換えたりする操作を行う操作部１２ｂを備えており、また情報転送手段１７を介して工事写真管理ソフトが組み込まれたコンピュータ１１の工事写真撮影箇所管理部１３から送られてくる写真属性データを、撮影画像と共に記録できる機能を備えている。
【００１６】
工事写真管理ソフトが組み込まれたコンピュータ１１の工事写真撮影箇所管理部１３からデジタルカメラ１２に写真属性データを転送したり、デジタルカメラ１２から工事写真撮影箇所管理部１３に写真データを転送する情報転送手段１７は、電子データの転送機能を有する公知の各種の転送手段を用いることができ、好ましくはＵＳＢケーブルを使用することができる。
【００１７】
そして、本実施形態では、コンピュータ１１に工事写真管理ソフトを組み込むことにより、工事写真撮影箇所管理部１３は、撮影項目記憶部１４と、選択情報転送部１５と、写真データ記憶部１６とを備えることになる。このようなコンピュータ１１に組み込まれる工事写真管理ソフトとしては、例えば市販の写真管理ソフトである商品名「Esteem-ABC Plus」(大中物産株式会社製)がある。
【００１８】
撮影項目記憶部１４は、撮影すべき写真の工種、種別、撮影場所等の撮影項目情報を記憶する部分であり、例えばコンピュータ１１の入力部から管理担当者が撮影すべき項目の一覧表のデータを入力したり、予め形成された撮影すべき項目の一覧の電子データを取り込むことによって、撮影すべき写真の撮影項目情報を、例えば工種や撮影場所や工事内容等に応じて分類可能な状態で、撮影項目記憶部１４に容易に記憶させることができる。撮影項目記憶部１４に記憶された撮影項目情報は、図３に示すように、適宜ディスプレイ１８に表示させたり、プリンタから出力させることができると共に、必要に応じてこれらの修正や変更を行うことも可能である。
【００１９】
選択情報転送部１５は、撮影項目記憶部１４に記憶された撮影項目情報から工事の進捗に合わせて撮影すべき撮影項目を選択すると共に、選択された撮影項目を、写真属性データとしてデジタルカメラ１２に転送する部分であり、例えば工事写真管理ソフトのカメラ転送ファイル作成機能に従って操作することにより、例えば工種毎や工事日毎に撮影すべき撮影項目を選択して、デジタルカメラ１２に転送すべき写真属性データを作成することができる。撮影項目を選択して作成された写真属性データは、図４に示すように、適宜ディスプレイ１８に表示させたり、プリンタから出力させることで、その内容を確認することができると共に、例えばディスプレイ１８に表示された画面上の転送ボタンをクリックすることにより、情報転送手段１７を介してデジタルカメラ１２に転送できるようになっている。
【００２０】
写真データ記憶部１６は、選択情報転送部１５から転送された写真属性データに基づいてデジタルカメラ１２によって撮影された写真データを、デジタルカメラから取り込んで記憶する部分であり、例えば工事写真管理ソフトの写真取り込み機能に従って、デジタルカメラ１２と工事写真管理ソフトが組み込まれたコンピュータ１１とを情報転送手段１７によって接続した後に、図５に示すように、例えばディスプレイ１８の画面上で写真取込みボタンをクリックすることにより、工事写真撮影箇所管理部１３は、写真属性データが記録された写真データをデジタルカメラ１２から取り込んで、写真データ記憶部１６に格納させることができるようになっている。
【００２１】
また、写真データ記憶部１６には、図５に示すように、撮影項目記憶部１４から撮影項目情報が予め送られていて、各撮影項目１９に対応する写真格納部２０が項目毎に形成されている。これによって、工事写真撮影箇所管理部１３は、デジタルカメラから取り込んだ複数の写真データを、写真属性データの選択された撮影項目に基づいて、撮影項目記憶部１４の項目毎の写真格納部２０に各々自動振り分けして格納することができるようになっている。
【００２２】
さらに、本実施形態では、工事写真撮影箇所管理部１３は、工事写真管理ソフトの写真取り込み機能に従って、デジタルカメラから写真データを取り込んだ際に、撮影された写真データに記録された撮影項目の情報を、撮影項目記憶部１４に自動的に送ることができるようになっており、送られた情報によって、撮影項目記憶部１４の該当する撮影項目の欄に、撮影済を明示する例えば「●」のマークが自動的に付されるようになっている（図３参照）。これによって、撮影すべき工事写真の撮り忘れをさらに効果的に回避することが可能になる。
【００２３】
さらにまた、本実施形態では、写真データ記憶部１６に撮影項目情報と共に記憶された写真データは、図６に示すように、例えばアルバム帳票形式で、適宜ディスプレイ１８に表示させたり、プリンタから出力させることができるようになっている。このようなアルバム帳票形式では、写真データに付随する撮影項目情報に従って、工種、種別、撮影場所等が自動的に反映されるようになっており、黒板の見難さを補ったり、黒板を不要とすることが可能になる。
【００２４】
そして、上述の構成を備える本実施形態の工事写真管理システム１０によれば、市販のデジタルカメラ１２や工事写真管理ソフトが組み込まれたコンピュータ１１を用いて簡易に構成できると共に、工事現場で撮影される多数の工事写真の仕分けや整理を容易に行うことが可能になる。
【００２５】
すなわち、本実施形態によれば、写真属性データを添付する機能を備えるデジタルカメラ１２は、工事現場で使用するのに適した防水性や防塵性に優れる市販のデジタルカメラを、適宜選択して用いることができると共に、コンピュータ１１は、工事写真管理ソフトを組み込むことによって、撮影項目記憶部１４と、選択情報転送部１５と、写真データ記憶部１６とを含む工事写真撮影箇所管理部１３を容易に備えることができるので、写真属性データを画面部に表示させつつ必要な撮影項目の工事写真をデジタルカメラ１２で撮影することにより、撮影すべき工事写真の撮り忘れを効果的に回避することが可能になると共に、デジタルカメラ１２で撮影された写真属性データが記録された写真データを、工事写真撮影箇所管理部１３の写真データ記憶部１６に記憶させる際に、撮影項目記憶部１４から写真データ記憶部１６に送られた撮影項目情報の項目毎に、転送された写真データを写真属性データに従って自動振り分けしつつ写真データ記憶部１６に自動的に格納してゆくことが可能になり、これによって、工事現場で撮影される膨大な数の工事写真を、容易に且つ効率良く仕分けして整理することが可能になる。
【００２６】
また、本実施形態の工事写真管理システム１０によれば、工事写真管理ソフトが組み込まれたコンピュータ１１に、工事写真管理用のソフトウェアとして汎用されている、例えば国土交通省への電子納品用の管理ソフトを組み込んでおくことができる。工事写真撮影箇所管理部１３の写真データ記憶部１６に記憶された撮影項目情報を含む写真データを、例えば画像ファイルやXMLファイルとして出力させて、この管理ソフトに取り込むことにより、図７に示すように、自動生成された階層ファルダによって、工事現場で撮影された多数の写真データを、さらに効率良く管理することが可能になる。
【００２７】
なお、本発明は上記本実施形態に限定されることなく種々の変更が可能である。例えば、工事写真が撮影される工事現場は、シールドトンネルを地中に構築するためのシールド工事の工事現場である必要は必ずしもなく、その他の種々の工事現場で撮影される工事写真を管理するために、本発明の工事写真管理システムを採用することができる。
【符号の説明】
【００２８】
１０  工事写真管理システム
１１  工事写真管理ソフトが組み込まれたコンピュータ
１２  写真属性データを添付する機能を備えるデジタルカメラ
１２ａ  画面部
１２ｂ  操作部
１３  工事写真撮影箇所管理部
１４  撮影項目記憶部
１５  選択情報転送部
１６  写真データ記憶部
１７  情報転送手段
１８  ディスプレイ
１９  撮影項目
２０  写真格納部
【図１】
2010231608.tif 000003
【図２】
2010231608.tif 000004
【図３】
2010231608.tif 000005
【図４】
2010231608.tif 000006
【図５】
2010231608.tif 000007
【図６】
2010231608.tif 000008
【図７】
2010231608.tif 000009